(57)【特許請求の範囲】
【請求項１】
固定挟持部を有するホルダ本体と、回動支持軸を備え同回動支持軸により、固定挟持部に回動可能に取付けられる回動挟持部と、固定挟持部の一側の内面と回動挟持部の一側の内面との間に配設され、回動挟持部の他側が固定挟持部の他側の方向に回動するように、回動挟持部の一側の内面を常に付勢し、固定挟持部の他側と回動挟持部の他側との間に薄板状をなす刃体を包持する背金が設けられている替刃を挟持する付勢部材とを備え、
固定挟持部と回動挟持部との間には、固定挟持部の他側と回動挟持部の他側との間を常に離間し、固定挟持部の他側と回動挟持部の他側との間の間隙に前記替刃を挿入するための規制部が、回動支持軸よりも他側側に設けられ、
前記規制部は、前記固定挟持部の内面及び前記回動挟持部の内面にそれぞれ互いに対向して突設された規制凸部から構成され、これら規制凸部の先端面は、前記間隙の中央を通る平面上で当接するように構成されていることを特徴とする替刃式剃刀のホルダ。
【請求項２】
前記替刃は、収納ケース内に収納されている請求項１に記載の替刃式剃刀のホルダ。
【請求項３】
前記固定挟持部及び回動挟持部の先端部には、前記替刃を間隙内に誘導する誘導面が形成されている請求項１又は請求項２に記載の替刃式剃刀のホルダ。
【発明の詳細な説明】
【０００１】
【発明の属する技術分野】
本発明は、理容室において顔剃り等に使用される替刃式剃刀のホルダに関するものである。
【０００２】
【従来の技術】
従来、この種の替刃式剃刀のホルダは、ホルダの端部に替刃が着脱可能に取付けられるようになっている。
【０００３】
ホルダは、端部に固定挟持部を有するホルダ本体と、固定挟持部に取付けられる回動支持軸により、固定挟持部に回動可能に取付けられる回動挟持部とから主に構成されている。固定挟持部の一側の内面には、付勢部材としての板ばねが取付けられている。そして、この板ばねは、固定挟持部の他側の先端縁と回動挟持部の他側の先端縁とが係合するように、回動挟持部の一側の内面を常に強く付勢するようになっている。このため、固定挟持部の他側の先端縁と回動挟持部の他側の先端縁との間は、常には閉じるようになっている。
【０００４】
ホルダの端部に替刃を取付けるときには、板ばねの付勢力に抗して、固定挟持部の他側の先端縁と回動挟持部の他側の先端縁との係合を解除し、固定挟持部の他側の先端縁と回動挟持部の他側の先端縁との間を開く。次いで、固定挟持部の他側と回動挟持部の他側との間に、替刃を挿入する。このとき、回動挟持部の他側は、板ばねの付勢力により固定挟持部の他側の方向に付勢されるため、替刃は、固定挟持部の他側及び回動挟持部の他側によって挟持される。このため、替刃はホルダの端部に確実に取付けられる。
【０００５】
【発明が解決しようとする課題】
ところが、この従来の替刃式剃刀のホルダは、ホルダの端部に替刃を取付けるときには、板ばねの付勢力に抗して、固定挟持部の他側の先端縁と回動挟持部の他側の先端縁との係合を解除し、固定挟持部の他側の先端縁と回動挟持部の他側の先端縁との間を開く必要がある。このため、ホルダの端部に替刃を取付ける操作が煩雑になるという問題があった。また、替刃が肉厚の場合には、回動挟持部は板ばねによって強く付勢されているため、板ばねの付勢力に抗して、固定挟持部の他側と回動挟持部の他側との間を、替刃の幅に合わせて離間することが困難になる。このため、肉厚の替刃をホルダの端部に取付けるのが困難になるという問題があった。
【０００６】
本発明は、上記のような従来技術に存在する問題点に着目してなされたものである。その目的とするところは、替刃を容易かつ確実に取付けることができる替刃式剃刀のホルダを提供することにある。
【０００７】
【課題を解決するための手段】
上記の目的を達成するために、請求項１に記載の発明の替刃式剃刀のホルダは、固定挟持部を有するホルダ本体と、回動支持軸を備え同回動支持軸により、固定挟持部に回動可能に取付けられる回動挟持部と、固定挟持部の一側の内面と回動挟持部の一側の内面との間に配設され、回動挟持部の他側が固定挟持部の他側の方向に回動するように、回動挟持部の一側の内面を常に付勢し、固定挟持部の他側と回動挟持部の他側との間に薄板状をなす刃体を包持する背金が設けられている替刃を挟持する付勢部材とを備え、固定挟持部と回動挟持部との間には、固定挟持部の他側と回動挟持部の他側との間を常に離間し、固定挟持部の他側と回動挟持部の他側との間の間隙に前記替刃を挿入するための規制部が、回動支持軸よりも他側側に設けられ、前記規制部は、前記固定挟持部の内面及び前記回動挟持部の内面にそれぞれ互いに対向して突設された規制凸部から構成され、これら規制凸部の先端面は、前記間隙の中央を通る平面上で当接するように構成されているものである。
【０００８】
請求項２に記載の発明の替刃式剃刀のホルダは、請求項１に記載の発明において、前記替刃は、収納ケース内に収納されているものである。
【０００９】
請求項３に記載の発明の替刃式剃刀のホルダは、請求項１又は請求項２に記載の発明において、前記固定挟持部及び回動挟持部の先端部には、前記替刃を間隙内に誘導する誘導面が形成されているものである。
【００１０】
【発明の実施の形態】
以下、本発明を具体化した一実施形態を図面に基づいて詳細に説明する。
図２に示すように、替刃式剃刀１１は、細長形状のホルダ１２と、ホルダ１２の端部に着脱可能に取付けられる替刃１３とから構成されている。図１（ｂ）に示すように、替刃１３は、細長四角形の薄板状をなす刃体１４と、刃体１４の上部を包持する背金１５とから構成されている。この替刃１３は、複数枚がセットになって図示しない収納ケース内に収納されている。
【００１１】
背金１５の上部には、正面略門状をなし、刃体１４の両側面から外方に離間して位置するとともに、背金１５の基端側から先端側に膨出して延びる湾曲部１６が設けられている。背金１５の中央部には、刃体１４の両側面に対して湾曲部１６の最大離間部よりも内方に近接して位置するとともに、背金１５の基端側から先端側に延びる凹曲部１７が凹設されている。背金１５の下部には、刃体１４の両側面に対して凹曲部１７の最小離間部よりも外方に離間して位置するとともに、湾曲部１６の最大離間部よりも内方に近接して位置し、背金１５の基端側から先端側に延びる凸曲部１８が膨出形成されている。刃体１４は、背金１５の内側に配設され、背金１５の先端縁によって挟持されている。
【００１２】
図３に示すように、ホルダ１２は、側面略長方形状のホルダ本体１９と、そのホルダ本体１９に対向する側面略長方形状の回動挟持部２０とから主に構成されている。ホルダ本体１９の先端部には、側面略長方形状の固定挟持部２１が形成され、ホルダ本体１９の中央部には、この替刃式剃刀１１を使用するときに把持される把持部２２が形成されている。
【００１３】
図１（ａ）及び図３に示すように、固定挟持部２１には、中央部近傍から下部端縁にかけて、替刃１３が位置決めされつつ挟持される第１替刃挟持部２３が形成されている。第１替刃挟持部２３の下部近傍には、第１替刃挟持部２３の基端側から先端側に延びる第１突出部２４が突設されている。この第１突出部２４の内面は、替刃１３の凹曲部１７の外面に対応するように、湾曲状に膨出して形成されている。第１替刃挟持部２３の上部には、第１替刃挟持部２３の基端側から先端側に延びる側面略長方形状の第１凹部２５が凹設されている。
【００１４】
第１替刃挟持部２３の最上部には、第１替刃挟持部２３の基端側から先端側に延びる規制凸部としての細長い四角柱状をなす第１規制凸部２６が突設されている。固定挟持部２１の中央部には、固定挟持部２１の基端側から先端側に延びる正面半円状の第１ガイド溝２７が凹設されている。
【００１５】
図３に示すように、この第１ガイド溝２７の基端部及び先端部には、円筒状の第１支持筒２８及び第２支持筒２９がそれぞれ設けられている。第２支持筒２９の長さは、基端部の第１支持筒２８の長さよりも短く形成されるとともに、第２支持筒２９の中心軸は、第１支持筒２８の中心軸の延長線上に位置するように構成されている。
【００１６】
固定挟持部２１の上部中央には、付勢部材としての板ばね３０を取付けるための側面略長方形状をなすばね装着部３１が凹設されている。ばね装着部３１の中央には、円柱状のばね装着突起３２が突設されている。ばね装着部３１の基端側及び先端側の端部には、回動挟持部２０が固定挟持部２１に取付けられるときに、板ばね３０の過大な変形を抑制するための側面略三角形状をなす変形抑制部３３が、それぞれ凹設されている。
【００１７】
固定挟持部２１の基端部には、固定挟持部２１に対して直交方向に延びる内壁３４が形成されている。固定挟持部２１の先端部には、第１規制凸部２６の底面から第１替刃挟持部２３の下部端縁にかけて、端部に向かうに従い外方へ傾斜する第１誘導面３５が形成されている。
【００１８】
板ばね３０は平面略Ｍ字状に形成され、この板ばね３０の基端部及び先端部には、山型片３６がそれぞれ形成されている。板ばね３０の中央には、円孔状の装着孔３７が貫通形成されている。そして、板ばね３０の装着孔３７をばね装着部３１のばね装着突起３２に嵌挿した後に、円環状の係止座金３８をばね装着突起３２に嵌挿することにより、板ばね３０は、ばね装着部３１に遊動自在に取付けられるようになっている。このとき、板ばね３０の基端側及び先端側の山型片３６は、ばね装着部３１からそれぞれ突出するように構成されている。
【００１９】
図１（ａ）及び図３に示すように、回動挟持部２０には、中央部近傍から下部端縁にかけて、替刃１３が位置決めされつつ挟持される第２替刃挟持部３９が形成されている。第２替刃挟持部３９の下部近傍には、第２替刃挟持部３９の基端側から先端側に延びる第２突出部４０が形成されている。この第２突出部４０の内面は、替刃１３の凹曲部１７の外面に対応するように、湾曲状に膨出されている。第２替刃挟持部３９の上部には、第２替刃挟持部３９の基端側から先端側に延びる側面略長方形状の第２凹部４１が凹設されている。
【００２０】
第２替刃挟持部３９の最上部には、第２替刃挟持部３９の基端側から先端側に延びる規制凸部としての細長い四角柱状をなす第２規制凸部４２が突設されている。そして、ホルダ１２において、第１替刃挟持部２３と第２替刃挟持部３９との間には、替刃１３が容易に挿入される挟持空間４３が形成されている。第１突出部２４の内面と第２突出部４０の内面との間の距離は、替刃１３の凹曲部１７の幅よりも若干小さくなるように設定されている。具体的には、約３０％小さくなるように設定されている。
【００２１】
また、第２規制凸部４２が第１規制凸部２６に当接することにより、第１替刃挟持部２３の下端縁と第２替刃挟持部３９の下端縁とが離間し、第１替刃挟持部２３の下端縁と第２替刃挟持部３９の下端縁との間には、間隙４４が形成されている。なお、第２規制凸部４２は、間隙４４の中央を通る平面上で第１規制凸部２６に当接するように構成されている。
【００２２】
回動挟持部２０の中央部には、回動挟持部２０の基端側から先端側に延びる正面半円状の第２ガイド溝４５が凹設されている。図３に示すように、この第２ガイド溝４５の基端部及び先端部には、円筒状の第３支持筒４６及び第４支持筒４７が、同じ長さで同一軸線上にそれぞれ設けられている。
【００２３】
そして、回動挟持部２０が固定挟持部２１に取付けられるときには、第３支持筒４６及び第４支持筒４７の基端側の端面が、第１支持筒２８及び第２支持筒２９の先端側の端面にそれぞれ係合するようになっている。
【００２４】
第３支持筒４６及び第４支持筒４７には、回動支持軸としての円柱状をなす第１回動支持軸４８及び第２回動支持軸４９がそれぞれ取付けられている。第１回動支持軸４８及び第２回動支持軸４９の基端側の端部は、第３支持筒４６及び第４支持筒４７の基端側の端面から基端側の方向に向けて突出するように構成されている。第１回動支持軸４８及び第２回動支持軸４９の外径は、第１支持筒２８及び第２支持筒２９の内径より若干小さく形成されるとともに、第２回動支持軸４９の端部には、第２回動支持軸４９が第２支持筒２９に確実に係止されるための略円環状の係止部５０が突出形成されている。
【００２５】
そして、回動挟持部２０が固定挟持部２１に取付けられるときには、第１回動支持軸４８及び第２回動支持軸４９が第１支持筒２８及び第２支持筒２９内に嵌挿されるとともに、第２回動支持軸４９の係止部５０の端部が第２支持筒２９に係合するようになっている。
【００２６】
回動挟持部２０の上部には、回動挟持部２０の基端側から先端側に延びる正面略長方形状のばね受け部５１が凹設されている。ばね受け部５１の中央には、平面略台形状の係合凸部５２が突設されている。そして、回動挟持部２０が固定挟持部２１に取付けられるときには、板ばね３０の先端側の山型片３６がばね受け部５１の先端側を付勢するようになっている。一方、板ばね３０の基端側の山型片３６は、ばね受け部５１において、係合凸部５２よりも基端側を付勢するようになっている。
【００２７】
回動挟持部２０の先端部には、第２規制凸部４２の底面から第２替刃挟持部３９の下部端縁にかけて、端部に向かうに従い外方へ傾斜する第２誘導面５３が形成されている。そして、替刃１３がホルダ１２の端部に取付けられたときには、第１誘導面３５及び第２誘導面５３が、替刃１３を挟持空間４３及び間隙４４内に誘導するようになっている。
【００２８】
次に、上記のように構成された替刃式剃刀のホルダ１２の作用を説明する。
さて、回動挟持部２０を固定挟持部２１に取付けるときには、板ばね３０の付勢力に抗して、第２規制凸部４２を第１規制凸部２６に当接させるとともに、第１回動支持軸４８及び第２回動支持軸４９を第１支持筒２８及び第２支持筒２９に嵌挿する。次に、第３支持筒４６及び第４支持筒４７の基端側の端面が第１支持筒２８及び第２支持筒２９の先端側の端面にそれぞれ係合するまで、回動挟持部２０を基端側の方向に摺動させることにより、回動挟持部２０は固定挟持部２１に回動可能に取付けられる。
【００２９】
このとき、図１（ａ）に示すように、回動挟持部２０のばね受け部５１は、板ばね３０により、回動挟持部２０の第２突出部４０が固定挟持部２１の第１突出部２４の方向に回動するように常に付勢される。また、第１替刃挟持部２３と第２替刃挟持部３９との間には、替刃１３が容易に挿入される挟持空間４３が形成される。
【００３０】
さらに、第２規制凸部４２が第１規制凸部２６に当接することにより、第１替刃挟持部２３の下端縁と第２替刃挟持部３９の下端縁とが離間し、第１替刃挟持部２３の下端縁と第２替刃挟持部３９の下端縁との間には、間隙４４が形成される。
【００３１】
ホルダ１２の端部に替刃１３を取付けるときには、ホルダ１２の把持部２２を手で握り、ホルダ１２の先端部を収納ケース内に収納されている替刃１３の基端部に触接させる。このとき、替刃１３の基端部は、第１誘導面３５及び第２誘導面５３によってホルダ１２の挟持空間４３及び間隙４４内に誘導され、ホルダ１２の挟持空間４３及び間隙４４内に挿入される。
【００３２】
次いで、ホルダ１２の先端部を替刃１３の先端部に向かって移動させると、替刃１３は第１替刃挟持部２３及び第２替刃挟持部３９によって挟持されつつ、ホルダ１２の基端側に向かってホルダ１２内を摺動する。このとき、図１（ｂ）に示すように、第２突出部４０が替刃１３の凹曲部１７によって押圧されるために、回動挟持部２０の上部は、板ばね３０の付勢力に抗して、固定挟持部２１の上部の方向に回動される。このため、第１規制凸部２６と第２規制凸部４２との係合は解除される。
【００３３】
そして、図２に示すように、替刃１３の基端部がホルダ本体１９の内壁３４に当接するまで、ホルダ１２の先端部を替刃１３の先端部に向かって移動させる。このとき、替刃１３の凹曲部１７が固定挟持部２１の第１突出部２４及び回動挟持部２０の第２突出部４０によって強固に挟持されるため、替刃１３はホルダ１２の端部に強固に取付けられる。
【００３４】
以上詳述した本実施形態によれば、次のような効果が発揮される。
・  本実施形態の替刃式剃刀のホルダ１２においては、第２規制凸部４２が第１規制凸部２６に当接することにより、第１替刃挟持部２３の下端縁と第２替刃挟持部３９の下端縁との間には、間隙４４が形成されている。このため、替刃１３を、挟持空間４３だけでなく、間隙４４からもホルダ１２内に挿入することができる。
【００３５】
・  本実施形態の替刃式剃刀のホルダ１２においては、回動挟持部２０のばね受け部５１は、板ばね３０によって、回動挟持部２０の第２突出部４０が固定挟持部２１の第１突出部２４の方向に回動するように常に付勢されている。また、第１突出部２４の内面と第２突出部４０の内面との間の距離は、替刃１３の凹曲部１７の幅よりも若干小さくなるように設定されている。さらに、第１突出部２４の内面及び第２突出部４０の内面は、替刃１３の凹曲部１７の外面に対応して湾曲状に膨出形成されている。このため、ホルダ１２の端部に替刃１３を取付けたときには、替刃１３は固定挟持部２１の第１替刃挟持部２３と回動挟持部２０の第２替刃挟持部３９とによって、強固に挟持される。
【００３６】
・  本実施形態の替刃式剃刀のホルダ１２においては、固定挟持部２１の先端部に第１誘導面３５が形成されるとともに、回動挟持部２０の先端部に第２誘導面５３が形成されている。このため、ホルダ１２の端部に替刃１３を取付けるときには、替刃１３は挟持空間４３及び間隙４４内に容易に誘導される。
【００３７】
・  本実施形態の替刃式剃刀のホルダ１２においては、第２回動支持軸４９の端部には、第２回動支持軸４９が第２支持筒２９に確実に係止されるための係止部５０が突出形成されている。そして、回動挟持部２０が固定挟持部２１に取付けられるときには、第２回動支持軸４９の係止部５０の端部が第２支持筒２９に係合するようになっている。このため、回動挟持部２０の固定挟持部２１への取付けを確実に保持することができる。
【００３８】
・  本実施形態の替刃式剃刀のホルダ１２においては、第１規制凸部２６と第２規制凸部４２は、間隙４４の中央を通る平面上で互いに向かい合って当接するように構成されている。このため、回動挟持部２０が固定挟持部２１に取付けられたときには、間隙４４を確実に形成することができる。
【００３９】
なお、前記実施形態を次のように変更して構成することもできる。
・  前記板ばね３０が取付けられたばね装着部３１を、回動挟持部２０の上部中央に設けるとともに、前記ばね受け部５１を固定挟持部２１の上部に設けてもよい。このように構成した場合も、回動挟持部２０の上部は、板ばね３０の付勢力により、回動挟持部２０の第２突出部４０が固定挟持部２１の第１突出部２４の方向に回動するように常に付勢されている。このため、替刃１３をホルダ１２内に強固に取付けることができる。
【００４０】
・  前記板ばね３０を皿ばね、スポンジ、コイルばね、ゴム等の他の付勢部材にしてもよい。このように構成した場合も、回動挟持部２０は、付勢部材の付勢力により、回動挟持部２０の第２突出部４０が固定挟持部２１の第１突出部２４の方向に回動するように常に付勢されている。このため、替刃１３をホルダ１２内に強固に取付けることができる。
【００４１】
・  前記各規制凸部２６，４２を、正面略台形状や正面略半円状等の形状にそれぞれ変えてもよい。
【００４２】
・  規制凸部の突出量は、回動挟持部２０が固定挟持部２１に取付けられたときに、第１替刃挟持部２３の下端縁と第２替刃挟持部３９の下端縁との間に間隙４４を形成するように設定されている。また、各規制凸部２６，４２を、各替刃挟持部２３，３９の上部の基端部から先端部の内の少なくとも一箇所にそれぞれ突設してもよい。各規制凸部２６，４２は、回動挟持部２０が固定挟持部２１に取付けられたときに、第１替刃挟持部２３の下端縁と第２替刃挟持部３９の下端縁との間に間隙４４を形成するように構成されている。このように構成した場合も、第１替刃挟持部２３の下端縁と第２替刃挟持部３９の下端縁との間に間隙４４が形成されるため、ホルダ１２の端部に替刃１３を容易に取付けることができる。
【００４３】
・  前記把持部２２に、合成樹脂等の材料によって形成された滑り止め部を設けてもよい。このように構成した場合は、この替刃式剃刀１１を使用するときに、替刃式剃刀１１の滑りを防止することができる。
【００４４】
・  前記各回動支持軸４８，４９を、一本の円柱状をなす回動支持棒に変更してもよい。この回動支持棒の外径は、各支持筒２８，２９，４６，４７の内径よりわずかに小さく形成されている。そして、回動挟持部２０を固定挟持部２１に取付けた後に、各支持筒２８，２９，４６，４７に回動支持棒を嵌挿することにより、回動挟持部２０を固定挟持部２１に回動可能に取付けることができるようになっている。このように構成した場合も、回動挟持部２０を固定挟持部２１に確実に取付けることができる。
【００４６】
次に、前記実施形態から把握できる技術的思想について以下に記載する。
・  前記付勢部材は、固定挟持部又は回動挟持部のいずれか一方において、一側の内面に取付けられている請求項１から請求項３のいずれか一項に記載の替刃式剃刀のホルダ。この構成によれば、回動挟持部を固定挟持部に容易に取付けることができる。
【００４７】
・  前記規制凸部は、前記固定挟持部の内面及び前記回動挟持部の内面の全面にわたって設けられている請求項１に記載の替刃式剃刀のホルダ。この構成によれば、固定挟持部に設けられた規制凸部と回動挟持部に設けられた規制凸部とが確実に係合し、回動挟持部の回動を安定した状態で規制することができる。
【００４８】
【発明の効果】
本発明は、以上のように構成されているため、次のような効果を奏する。
本発明の替刃式剃刀のホルダによれば、間隙をより容易に形成することができ、替刃を容易かつ確実に取付けることができる。
【図面の簡単な説明】
【図１】  （ａ）は本実施形態の替刃式剃刀のホルダを示す一部破断正面図。（ｂ）は替刃式剃刀のホルダに替刃を取付けた状態を示す一部破断正面図。
【図２】  替刃式剃刀を示す一部斜視図。
【図３】  替刃式剃刀のホルダを示す分解斜視図。
【符号の説明】
１２…ホルダ、１３…替刃、１９…ホルダ本体、２０…回動挟持部、２１…固定挟持部、２６…第１規制凸部、３０…板ばね、４２…第２規制凸部、４４…間隙、４８…第１回動支持軸、４９…第２回動支持軸。
【図１】
0003696106.tif 000002
【図２】
0003696106.tif 000003
【図３】
0003696106.tif 000004